(57)【要約】  端末において、選択部は、参照信号（SRS：Sounding Reference Signal）に関する複数の生成方法の中から、１つの生成方法を選択する。無線送信部は、選択された生成方法に基づいて生成された参照信号（SRS）を送信する。
2018230138.tif 000002
【特許請求の範囲】
【請求項１】
参照信号に関する複数の生成方法の中から、１つの生成方法を選択する回路と、
前記選択された生成方法に基づいて生成された前記参照信号を送信する送信機と、
を具備する端末。
【請求項２】
前記回路は、前記端末のパワーヘッドルーム又は前記端末のパスロスレベルに応じて、前記１つの生成方法を選択する、
請求項１に記載の端末。
【請求項３】
前記回路は、前記端末の送信帯域幅に応じて、前記１つの生成方法を選択する、
請求項１に記載の端末。
【請求項４】
前記回路は、前記参照信号の送信に使用される周波数リソースに関するパラメータに一意に対応付けられた前記１つの生成方法を選択する、
請求項１に記載の端末。
【請求項５】
前記パラメータは、システム帯域を分割して得られる部分帯域で前記参照信号を送信する端末数、前記部分帯域の帯域幅、又は、前記部分帯域を構成するCombである、
請求項４に記載の端末。
【請求項６】
前記回路は、前記参照信号の種別に応じて、前記１つの生成方法を選択する、
請求項１に記載の端末。
【請求項７】
前記回路は、前記端末が実行するサービス種別に応じて、前記１つの生成方法を選択する、
請求項１に記載の端末。
【請求項８】
前記回路は、前記端末に設定されるサブキャリア間隔に応じて、前記１つの生成方法を選択する、
請求項１に記載の端末。
【請求項９】
前記回路は、前記端末に設定されるフレームフォーマット種別に応じて、前記１つの生成方法を選択する、
請求項１に記載の端末。
【請求項１０】
前記複数の生成方法は、１つの符号系列を用いて前記参照信号を生成する第１生成方法、及び、１つ以上の符号系列を結合して前記参照信号を生成する第２の生成方法を含む、
請求項１に記載の端末。
【請求項１１】
参照信号に関する複数の生成方法の中から、１つの生成方法を選択し、
前記選択された生成方法に基づいて生成された前記参照信号を送信する、
通信方法。
【発明の詳細な説明】
【技術分野】
【０００１】
本開示は、端末及び通信方法に関する。
【背景技術】
【０００２】
5Gの標準化において、LTE/LTE-Advancedとは必ずしも後方互換性を持たない新しい無線アクセス技術（NR：New Radio）が3GPPで議論されている。【０００３】
LTEでは、端末（「UE（User Equipment）」と呼ぶこともある）が基地局（「eNB」又は「gNB」と呼ぶこともある）から割り当てられた無線リソースで、Sounding Reference Signal（以下、「SRS」と呼ぶ）と呼ばれる参照信号を送信する。基地局は、SRSの受信品質を測定することで、SRSの送信帯域における上り品質を推定することができる。基地局は、上り品質の推定値を用いて、端末の周波数スケジューリング又はリンクアダプテーション（適応変調符号化）を行う。【０００４】
NRでも、LTEと同様、SRSの送信が検討されている。NRのSRSには、LTEと同様、CM/PAPR（Cubic Metric/Peak to Average Power Ratio）が低く、相互相関特性が良いという利点を持つZadoff-Chu（ZC）系列が使用されることが合意されている（例えば、非特許文献１を参照）。
【先行技術文献】
【非特許文献】
【０００５】
【非特許文献１】3GPP RAN1#89 chairman's note
【非特許文献２】R1-1708171, Huawei, HiSilicon, "UL SRS sequence design in NR", RAN1#89, May 2017
【非特許文献３】R1-1708085, Panasonic, "Discussion on SRS transmission for NR", RAN1#89, May 2017
【発明の概要】
【０００６】
しかしながら、NRにおいてSRSの生成方法については十分に検討がなされていない。
【０００７】
本開示の一態様は、SRSを適切に生成することができる端末及び通信方法の提供に資する。
【０００８】
本開示の一態様に係る端末は、参照信号に関する複数の生成方法の中から、１つの生成方法を選択する回路と、前記選択された生成方法に基づいて生成された前記参照信号を送信する送信機と、を具備する。
【０００９】
本開示の一態様に係る通信方法は、参照信号に関する複数の生成方法の中から、１つの生成方法を選択し、前記選択された生成方法に基づいて生成された前記参照信号を送信する。
【００１０】
なお、これらの包括的または具体的な態様は、システム、装置、方法、集積回路、コンピュータプログラム、または、記録媒体で実現されてもよく、システム、装置、方法、集積回路、コンピュータプログラムおよび記録媒体の任意な組み合わせで実現されてもよい。
【００１１】
本開示の一態様によれば、SRSを適切に生成することができる。
【００１２】
本開示の一態様における更なる利点および効果は、明細書および図面から明らかにされる。かかる利点および／または効果は、いくつかの実施形態並びに明細書および図面に記載された特徴によってそれぞれ提供されるが、１つまたはそれ以上の同一の特徴を得るために必ずしも全てが提供される必要はない。
【図面の簡単な説明】
【００１３】
【図１】図１は、SRSの生成方法１の一例を示す。
【図２】図２は、SRSの生成方法２の一例を示す。
【図３】図３は、SRSの生成方法１におけるSRS間の部分帯域の多重の一例を示す。
【図４】図４は、SRSの生成方法２におけるSRS間の部分帯域の多重の一例を示す。
【図５】図５は、端末の一部の構成を示す。
【図６】図６は、端末の構成を示す。
【図７】図７は、基地局の構成を示す。
【図８】図８は、端末の動作例を示す。
【図９】図９は、基地局の動作例を示す。
【図１０】図１０は、SRSの生成方法と、Partial bandの帯域幅との対応付けの一例を示す。
【図１１】図１１は、SRSの生成方法と、Combとの対応付けの一例を示す。
【発明を実施するための形態】
【００１４】
以下、本開示の実施の形態について図面を参照して詳細に説明する。
【００１５】
NRでは、SRS系列生成について以下の２つの方法が検討されている（例えば、非特許文献１を参照）。なお、PRB（Physical Resource Block）は、時間・周波数のリソースの割当単位を示す。
（１）生成方法１（「Alt-1」と表すこともある）：
SRS系列生成は、割り当てられたPRB位置の関数ではない。
（２）生成方法２（「Alt-2」と表すこともある）：
SRS系列生成は、割り当てられたPRB位置の関数である。
【００１６】
図１は、生成方法１（Alt-1）で生成されるSRSの一例を示す（例えば、非特許文献２を参照）。生成方法１では、SRSは、LTEのSRSと同様、１つのZC系列を用いて生成される。ZC系列は、所定の系列番号（図１ではSeq#0）とCyclic shift（CS）番号（図１ではCS#0）とから生成され、ZC系列の系列長はSRSの送信帯域幅に相当する。このように、生成方法１では、割り当てられたPRB位置に依存せず、SRS送信帯域幅に依存してSRS系列生成が行われる。
【００１７】
図２は、生成方法２（Alt-2）で生成されるSRSの一例を示す（例えば、非特許文献３を参照）。生成方法２では、SRSは、１つ以上のZC系列を用いて生成される。具体的には、NR carrier（NRのシステム帯域）内に定義した、所定帯域幅X[PRB]の周波数ブロック単位でSRSが割り当てられる。すなわち、SRS送信帯域幅はX[PRB]の整数倍となる。周波数ブロック毎に用いるZC系列の系列番号とCS番号とは所定のルールで設定され、周波数ブロック毎にZC系列が生成される。このように、生成方法２では、SRS送信帯域幅に依存せず、割り当てられたPRB位置（周波数ブロック）に依存してSRS系列生成が行われる。
【００１８】
上述したNRで検討されているSRSの生成方法１，２には、CM/PAPR（Cubic Metric/Peak to Average Power Ratio）特性と周波数スケジューリング自由度との間でトレードオフの関係がある。
【００１９】
具体的には、生成方法１は、１つのZC系列によってSRSを生成するため、CM/PAPRが低い利点がある。
【００２０】
一方で、生成方法１では、図３に示すように、複数の端末（UE1、UE2）のSRS送信帯域が一致しない場合、当該複数の端末が送信するSRSは、複数の端末間で異なるCS番号が設定されている場合でも直交性が崩れ、干渉によって基地局での上り品質推定精度が劣化してしまう。よって、生成方法１では、SRS間の直交性を維持するためには、複数の端末のSRS送信帯域幅及び送信帯域位置を一致させる必要がある。このため、基地局によるSRSの周波数スケジューリング自由度が低下してしまう。NRでは、LTEと比較して、より多数の、より多様な端末（送信可能帯域等の端末能力・機能が異なる多種のCapability/Categoryを有する端末）をサポートする必要があるため、上述した周波数スケジューリングの制約は欠点となる。
【００２１】
一方、生成方法２は、図４に示すように、複数の端末（UE#1、UE#2）間で共通の周波数ブロック単位で、系列番号とCS番号とを設定しZC系列をそれぞれ生成する。このため、生成方法２では、複数の端末のSRS送信帯域が一致しない場合でも周波数ブロック単位で複数の端末のSRSを直交化できる。つまり、生成方法２によって生成されるSRSを用いることで、基地局は、各端末のSRS送信帯域幅又は送信帯域位置を自由に設定できる。よって、生成方法２には、周波数スケジューリング自由度が高い利点がある。
【００２２】
一方で、生成方法２では、SRS送信帯域幅が周波数ブロック単位（ZC系列長）のX[PRB]より広い場合、複数のZC系列を結合してSRSが生成されるため、CM/PAPRが高い欠点がある。
【００２３】
端末は送信機のパワーアンプを線形領域で動作させるため、最大送信電力をCM/PAPRに応じて下げる必要がある。つまり、SRSのCM/PAPRが高いほど、端末の送信可能な最大送信電力が低下する。よって、生成方法２で生成されるSRSを用いる場合、セルエッジ付近等では、基地局が要求する（指示する）送信電力で送信できない端末（「Power limited端末」とも呼ばれる）が多く発生することが懸念される。端末のCM/PAPRに応じた最大送信電力の削減量は、端末の送信機の実装に依存するため、基地局はPower limited端末の実際の最大送信電力を把握できない。よって、基地局は、Power limited端末が送信するSRSでは上り品質を精度良く推定することができない。または、上述したように最大送信電力をCM/PAPRに応じて下げない端末は、CM/PAPRが高いほど信号の送信に使用する電力消費量が高くなるため、端末のバッテリ寿命が低下してしまう。
【００２４】
このように、生成方法１には、CM/PAPRが高い利点及び周波数スケジューリング自由度が低い課題が存在し、生成方法２には、周波数スケジューリング自由度が高い利点及びCM/PAPRが高い課題が存在する。
【００２５】
本開示の一態様では、SRSの効率的な生成方法について説明する。
【００２６】
［通信システムの概要］
本開示の一実施の形態に係る通信システムは、端末１００及び基地局２００を備える。
【００２７】
図５は本開示の実施の形態に係る端末１００の一部の構成を示すブロック図である。図５に示す端末１００において、選択部１０５は、参照信号（SRS）に関する複数の生成方法の中から、１つの生成方法を選択する。無線送信部１０８は、選択された生成方法に基づいて生成された参照信号（SRS）を送信する。
【００２８】
［端末の構成］
図６は、本実施の形態に係る端末１００の構成を示すブロック図である。図６において、端末１００は、アンテナ１０１と、無線受信部１０２と、復調・復号部１０３と、制御情報保持部１０４と、選択部１０５と、SRS生成部１０６と、リソース割当部１０７と、無線送信部１０８と、を有する。
【００２９】
無線受信部１０２は、アンテナ１０１を介して受信した受信信号に対して、ダウンコンバート、Ａ／Ｄ変換等の受信処理を施し、受信信号を復調・復号部１０３へ出力する。
【００３０】
復調・復号部１０３は、無線受信部１０２から入力される受信信号に対して復調及び復号を行い、復号結果から、基地局２００から送信された端末１００宛てのSRSリソース情報、及び、SRS生成方法を決定するための制御情報を抽出する。復調・復号部１０３は、抽出した情報を制御情報保持部１０４、及び、他の構成部（図示せず）に出力する。
【００３１】
SRSリソース情報には、例えば、端末１００がSRSを送信する、周波数リソース情報（例えば、SRS送信帯域幅、送信帯域位置（PRB番号又はブロック番号等）、時間リソース情報（例えば、SRSを送信するslot番号、OFDM（Orthogonal Frequency Division Multiplexing）シンボル番号等）、符号系列情報（例えば、所定数のZC系列の系列長、系列番号、CS番号）等が含まれる。なお、全てのSRSリソース情報が端末１００に対して同時に通知される必要はない。例えば、SRSリソース情報の一部の情報はセル共通情報として、又は、準静的な通知情報として端末１００に通知されてもよい。また、SRSリソース情報の一部の情報は、例えば、システム共通情報としてスペックで規定され、端末１００に通知されなくてもよい。
【００３２】
制御情報保持部１０４は、復調・復号部１０３から入力される情報を保持する。制御情報保持部１０４が保持する制御情報には準静的な制御情報、及び、動的な制御が含まれる。制御情報保持部１０４は、保持した制御情報を、必要に応じて選択部１０５、SRS生成部１０６、又は、リソース割当部１０７に出力する。
【００３３】
選択部１０５は、制御情報保持部１０４から入力される制御情報に基づいて、上述した生成方法１（Alt-1）及び生成方法２（Alt-2）の中から、適用する１つのSRS生成方法を選択する。選択部１０５は、選択した生成方法を示す情報をSRS生成部１０６に出力する。なお、選択部１０５におけるSRS生成方法の選択方法の詳細については後述する。
【００３４】
SRS生成部１０６は、選択部１０５から入力されるSRS生成方法（生成方法１又は生成方法２）と、制御情報保持部１０４から入力されるSRS生成に必要な情報に基づいて、SRS用符号系列（例えば、ZC系列）を生成する。SRS生成部１０６は、生成した符号系列をSRSとして、リソース割当部１０７に出力する。
【００３５】
リソース割当部１０７は、制御情報保持部１０４から入力されるSRSリソース情報に含まれる時間・周波数リソースに、SRS生成部１０６から入力されるSRS（符号系列）をマッピングし、マッピング後の信号を無線送信部１０８へ出力する。なお、SRSがマッピングされた信号に対してIFFT（Inverse Fast Fourier Transform）が施されてもよい（図示せず）。
【００３６】
無線送信部１０８は、リソース割当部１０７から入力される信号に対してＤ／Ａ変換、アップコンバートを施し、得られた無線信号をアンテナ１０１から基地局２００へ送信する。
【００３７】
［基地局の構成］
図７は、本実施の形態に係る基地局２００の構成を示すブロック図である。図７において、基地局２００は、制御情報生成部２０１と、制御情報保持部２０２と、変調・符号化部２０３と、無線送信部２０４と、アンテナ２０５と、無線受信部２０６と、復調・復号部２０７と、選択部２０８と、レプリカ生成部２０９と、品質推定部２１０と、スケジューリング部２１１と、を有する。
【００３８】
制御情報生成部２０１は、後述するスケジューリング部２１１からの指示に基づいて、SRSリソース情報、及び、SRS生成方法を決定するための制御情報（上述した端末１００が受信した制御情報と同様の情報）を端末１００に通知するための制御信号を生成し、制御情報保持部２０２及び変調・符号化部２０３へ出力する。
【００３９】
なお、前述したように、基地局２００は、全てのSRSリソース情報を端末１００へ同時に通知する必要はない。複数の端末１００で共通で、準静的な通知情報（例えば、SRSの周波数ホッピングパターン、生成方法２における周波数ブロックサイズ等）の一部は、セル固有の情報として基地局２００が収容する複数の端末１００に通知してもよい。また、制御情報は、DCI（Downlink Control Information）、MAC（Medium Access Control）、RRC（Radio Resource Control）の何れかの情報、又は、これらを複数組み合わせて通知されてもよい。
【００４０】
制御情報保持部２０２は、制御情報生成部２０１から入力される制御情報を保持し、保持した制御情報を、必要に応じて選択部２０８及びレプリカ生成部２０９に出力する。
【００４１】
変調・符号化部２０３は、制御情報生成部２０１から入力される制御信号を変調及び符号化し、符号化後の信号を無線送信部２０４へ出力する。
【００４２】
無線送信部２０４は、変調・符号化部２０３から入力される信号に対してＤ／Ａ変換、アップコンバート、増幅等の送信処理を施し、送信処理により得られた無線信号をアンテナ２０５から端末１００へ送信する。
【００４３】
無線受信部２０６は、アンテナ２０５を介して受信した端末１００からの信号に対してダウンコンバート、Ａ／Ｄ変換等の受信処理を施し、受信信号を復調・復号部２０７へ出力する。
【００４４】
復調・復号部２０７は、無線受信部２０６から入力される受信信号を復調及び復号し、復号した信号を品質推定部２１０へ出力する。
【００４５】
選択部２０８は、端末１００の選択部１０５（図６）と同様の処理を行う。すなわち、選択部２０８は、制御情報保持部２０２から入力される制御情報に基づいて、上述した生成方法１（Alt-1）及び生成方法２（Alt-2）の中から、適用するSRSの生成方法を選択し、選択した生成方法を示す情報をレプリカ生成部２０９に出力する。
【００４６】
レプリカ生成部２０９は、選択部２０８から入力されるSRSの生成方法と、制御情報保持部２０２から入力されるSRS（符号系列）の生成に必要な情報に基づいて、端末１００でSRSとして生成されるSRS用符号系列と同一系列（例えば、ZC系列）をレプリカ信号として生成する。レプリカ生成部２０９は、生成したレプリカ信号を品質推定部２１０へ出力する。
【００４７】
品質推定部２１０は、端末１００に通知したSRSリソース情報に基づいて、復調・復号部２０７から入力される復号信号から、SRS受信信号を抽出する。そして、品質推定部２１０は、抽出したSRS受信信号と、レプリカ生成部２０９から入力されるレプリカ信号との相関演算結果から品質推定値を算出する。品質推定部２１０は、算出した品質推定結果をスケジューリング部２１１へ出力する。
【００４８】
スケジューリング部２１１は、品質推定部２１０から入力される品質推定結果に基づいてデータのスケジューリング（MCS（Modulation and Coding Scheme）設定、周波数リソース割当、送信電力制御等）を行う。また、スケジューリング部２１１は、データの割当周波数を考慮して、各端末１００のSRSリソース情報を決定し、制御情報生成部２０１に出力する。
【００４９】
［端末１００及び基地局２００の動作］
以上の構成を有する端末１００及び基地局２００における動作について詳細に説明する。
【００５０】
図８は端末１００（図６）の動作を示すフローチャートであり、図９は基地局２００（図７）の動作を示すフローチャートである。
【００５１】
端末１００は、基地局２００へ送信するSRSの生成方法を選択する（ＳＴ１０１）。そして、端末１００は、選択した生成方法に基づいてSRSを生成し（ＳＴ１０２）、生成したSRSを基地局２００へ送信する（ＳＴ１０３）。
【００５２】
一方、基地局２００は、端末１００において使用されるSRSの生成方法を選択する（ＳＴ２０１）。そして、基地局２００は、選択した生成方法に基づいてレプリカ信号を生成する（ＳＴ２０２）。そして、基地局２００は、端末１００から送信されるSRSを受信し（ＳＴ２０３）、受信したSRSと生成したレプリカ信号とを用いて上り品質を推定する（ＳＴ２０４）。
【００５３】
［SRS生成方法の選択方法］
次に、端末１００（選択部１０５）及び基地局２００（選択部２０８）において、SRS（レプリカ信号）の生成方法を選択する方法（つまり、ＳＴ１０１及びＳＴ２０１の処理）について詳細に説明する。
【００５４】
端末１００及び基地局２００は、NR carrier内において、生成方法１（Alt-1）及び生成方法２（Alt-2）を選択可能とし、NR carrier毎に生成方法１及び生成方法２の仲から１つの生成方法を選択して、選択した生成方法に基づいてSRSを送信する。
【００５５】
例えば、端末１００及び基地局２００は、端末１００の状況又は設定条件等に適したSRSの生成方法を選択することにより、SRSによるSounding性能（高精度、低遅延でより広い帯域の品質推定が実施できる性能）を向上させることができる。
【００５６】
以下では、一例として、基地局２００が端末１００におけるSRS生成方法を決定し、決定した生成方法を端末１００へ通知する場合について説明する。以下、基地局２００によるSRS生成方法（生成方法１及び生成方法２）の選択方法#1、#2についてそれぞれ説明する。
【００５７】
＜選択方法#1＞
基地局２００は、端末１００のPower headroom（PHR：送信電力の余力）、又は、Path lossレベルに基づいてSRS生成方法を選択する。PHR又はPath lossレベルは、例えば、端末１００から基地局２００へ定期的に報告される。
【００５８】
具体的には、基地局２００は、端末１００のPHRが所定閾値未満の場合、又は、Path lossレベルが所定閾値以上の場合、端末１００を送信電力不足の端末（Power limited 端末）と判断する。そして、基地局２００は、Power limited端末に対して、CM/PAPRが低い利点を有する生成方法１（図１を参照）を選択する。
【００５９】
一方、基地局２００は、端末１００のPHRが所定閾値以上の場合、又は、Path lossレベルが所定閾値未満の場合、つまり、Power limited端末ではない端末（Non-Power limited端末）に対して、周波数スケジューリング自由度が高い利点を有する生成方法２（図２を参照）を選択する。Non-power limited端末は、送信電力に余力があるため、生成方法２を適用してCM/PAPRが高くなる場合でも、最大送信電力を制限する必要がなく、生成方法２により生じる課題（最大送信電力の低下、消費電力の増加）は小さい。
【００６０】
このように、選択方法#1によれば、端末１００のPHR又はPath lossレベルに応じて（つまり、高いCM/PAPRに対する耐性に応じて）、適したSRS生成方法を選択することにより、SRSによるSounding性能を向上させることができる。
【００６１】
＜選択方法#2＞
基地局２００は、端末１００のカテゴリ・能力（UE category/capability）情報に基づいてSRS生成方法を選択する。例えば、端末１００のカテゴリ・能力情報は、端末１００から基地局２００に対して、端末２００の接続時に通知される。
【００６２】
例えば、端末１００のカテゴリ・能力の一例として、端末１００の送信可能な送信帯域幅を用いる場合について説明する。
【００６３】
具体的には、端末１００の送信可能な送信帯域幅が広い場合、端末１００は広い送信帯域幅のSRSを送信するため、端末１００が送信するSRSと、他の端末が送信するSRSとの間で一部の帯域を周波数多重させる状況が多く発生することが想定される。一方で、端末１００の送信可能な送信帯域幅が狭い場合、当該端末１００は低コストかつ低消費電力で処理する端末（低コスト端末）であることが想定される。
【００６４】
そこで、基地局２００は、端末１００の送信可能な送信帯域幅が所定閾値以上の場合、周波数スケジューリング自由度を重視し、生成方法２（図２を参照）を選択する。一方、基地局２００は、端末１００の送信可能な送信帯域幅が所定閾値より狭い場合、低消費電力化・バッテリ寿命を重視し、生成方法１（図１を参照）を選択する。
【００６５】
このように、選択方法#2によれば、端末１００のカテゴリ・能力（例えば、送信帯域幅）に応じて適したSRS生成方法を選択することにより、SRSによるSounding性能を向上させることができる。なお、端末１００のカテゴリ・能力情報としては、端末２００の送信可能な送信帯域幅に限定されず、他のパラメータでもよい。
【００６６】
以上、基地局２００によるSRS生成方法の選択方法#1,#2について説明した。
【００６７】
［SRS生成方法の通知方法］
次に、基地局２００が決定したSRS生成方法を端末１００に通知する方法について説明する。
【００６８】
＜SRS生成方法の明示的な通知＞
基地局２００は、生成方法１（Alt-1）又は生成方法２（Alt-2）のうち選択したSRS生成方法種別を、DCI、MAC、RRCの何れかに含めて、端末１００に明示的に通知する。
【００６９】
端末１００は、基地局２００から通知される制御情報からSRS生成方法種別を抽出し、指示されたSRS生成方法に基づいてSRSを生成する。
【００７０】
＜SRS生成方法の暗黙的な通知＞
生成方法１（Alt-1）及び生成方法２（Alt-2）を含むSRS生成方法種別と、当該SRS生成方法種別とは異なる他の設定情報又は制御情報とが所定のルールで一意に対応付けられ、端末１００と基地局２００との間で共有される。
【００７１】
そして、基地局２００は、生成方法１又は生成方法２のうち選択したSRS生成方法種別と対応付けられた設定情報又は制御情報を端末１００へ通知することにより、選択したSRS生成方法種別を端末に暗黙的に通知する。
【００７２】
端末１００は、基地局２００から通知される設定情報又は制御情報に基づいて、所定のルールで対応付けられたSRS生成方法種別を特定し、特定したSRS生成方法に基づいてSRSを生成する。
【００７３】
このように、基地局２００がSRS生成方法種別を端末１００へ暗黙的に通知することで、SRS生成方法種別を通知するためのシグナリング量が低減できる。
【００７４】
以下、SRS生成方法種別と設定情報又は制御情報との対応付けルールの一例について説明する。
【００７５】
（Solution 1）
Solution 1では、SRSを送信する周波数リソース情報と、SRS生成方法種別とを一意に対応付ける。
【００７６】
NRでは、NR carrierとして、LTE/LTE-Advancedより広いシステム帯域幅をサポートすることが検討されている。このため、NR carrierのシステム帯域を分割した「Partial bandあるいはBandwidth part（部分帯域）」と呼ばれる単位毎にSRSの送信が制御される可能性がある。
【００７７】
そこで、Solution 1-1では、Partial bandを含む周波数リソースと、SRS生成方法種別とを対応付ける。
【００７８】
（Solution 1-1）
例えば、Partial band番号とSRS生成方法種別とを対応付ける。
【００７９】
端末の通信状況又はカテゴリ・能力に応じて、SRSの送信に適するPartial bandが異なる。このため、Partial band毎にSRSを送信する端末数が異なることが想定される。また、端末数が多いほどSRSの周波数スケジューリング自由度は重要となる。
【００８０】
そこで、例えば、基地局２００は、各Partial bandに割り当てる端末１００の数に基づいて、当該Partial bandで送信されるSRSの生成方法を決定する。具体的には、SRSを送信する端末数が所定閾値以上のPartial band（Partial band番号）と、生成方法２（Alt-2）とが対応付けられ、SRSを送信する端末数が所定閾値値未満のPartial band（Partial band番号）と、生成方法１（Alt-1）とが対応付けられる。
【００８１】
そして、端末１００と基地局２００とは、SRS生成方法種別と、Partial band番号との対応付けを共有する。
【００８２】
このように、NR carrier内の各Partial bandに割り当てられる端末数に応じて、CM/PAPR特性を重視すべきPartial bandには生成方法１を対応付け、周波数スケジューリング自由度を重視すべきPartial bandには生成方法２を対応付ける。これにより、端末１００は、NR carrier内のSRSを送信するPartial bandにおいて、当該Partial bandでSRSを送信する端末数が考慮されたSRS生成方法を選択し、SRSを送信することができるので、SRSのSounding性能を向上させることができる。
【００８３】
（Solution 1-2）
また、例えば、Partial bandの帯域幅とSRS生成方法種別を対応付けてもよい。図１０は、Partial bandの帯域幅とSRS生成方法種別との対応付けの一例を示す。
【００８４】
Partial bandの帯域幅が広い場合、当該Partial bandで設定されたSRSの送信帯域幅も大きくなる。この場合、端末１００が送信するSRSと他の端末が送信するSRSとの間で一部の帯域を周波数多重させる状況が多く発生することが想定される。
【００８５】
そこで、帯域幅が閾値より広いPartial band（図１０ではPartial band#2）には、周波数スケジューリング自由度を重視して、生成方法２（Alt-2）が対応付けられる。一方、帯域幅が閾値未満のPartial bandには、CM/PAPR特性を重視し、生成方法１（Alt-1）が対応付けられる。
【００８６】
これにより、端末１００は、SRSを送信するPartial bandの帯域幅に応じて適したSRS生成方法を選択し、SRSを送信することができるので、SRSのSounding性能を向上させることができる。
【００８７】
（Solution 1-3）
NRでは、LTEと同様に「Comb」と呼ばれる所定のサブキャリア間隔でSRSを割り当てることが検討されている。そこで、Comb番号（サブキャリア間隔が4の場合、Comb番号は1〜4）とSRS生成方法種別を対応付けてもよい。
【００８８】
同一のPartial band内に、端末の通信状況又はカテゴリ・能力が異なる複数の端末を割り当てる場合がある。上述したように、広い送信帯域幅でSRS送信可能な端末、又は、Non-power limited端末には生成方法２（Alt-2）が適しており、狭い送信帯域幅でSRS送信する端末又はPower limited端末には生成方法１（Alt-1）が適している。
【００８９】
そこで、基地局２００は、Partial bandにおいて、生成方法１が適した端末数と、生成方法２が適した端末数との割合に応じて、生成方法１に対応付けられるCombと、生成方法２に対応付けられるCombとを決定してもよい。
【００９０】
図１１は、Comb番号とSRS生成方法種別との対応付けの一例を示す。図１１では、サブキャリア間隔が4であり、Comb番号1〜4が設定される。例えば、生成方法１（Alt-1）が適した端末数と、生成方法２（Alt-2）が適した端末数との割合が１：３の場合、図１１に示すように、Comb番号1が生成方法１に対応付けられ、Comb番号2〜4が生成方法２に対応付けられる。なお、生成方法１及び生成方法２がそれぞれ対応付けられるComb番号は、図１１に示す例に限定されない。
【００９１】
端末１００及び基地局２００は、各Comb番号とSRS生成方法種別との対応付け（ルール）を共有する。例えば、基地局２００は、各Comb番号とSRS生成方法種別との対応付け（ルール）をセル共通情報として、基地局２００のセルに収容されている端末１００に通知してもよい。
【００９２】
これにより、基地局１００に接続される複数の端末１００に対して、同一Partial band内でも、使用するCombに応じて異なるSRS生成方法を選択することが可能となる。
【００９３】
このように、Solution 1では、Partial band内でSRSを送信する端末の通信状況又はカテゴリ・能力に応じて適したSRS生成方法を適用することで、SRSのSounding性能を向上させることができる。
【００９４】
（Solution 2）
Solution 2では、SRSの種別又は用途と、SRS生成方法種別とを一意に対応付ける。
【００９５】
（Solution 2-1）
Solution 2-1では、SRS種別と、SRS生成方法種別とを一意に対応付ける。
【００９６】
NRでは、SRSとして、通知又は規定されているルールに従って周期的に送信されるSRSである「Periodic SRS」、及び、基地局からのトリガにより所定回数（例えば１回）送信されるSRSである「Aperiodic SRS」の２つのSRS種別が想定される。
【００９７】
これらのSRS種別（Aperiodic SRS及びPeriodic SRS）とSRS生成方法種別とは以下のように対応付けられる。
【００９８】
Aperiodic SRSは、瞬時に所望の送信帯域の品質を推定することが要求されるため、周波数スケジューリング自由度が重要となる。そこで、Aperiodic SRSには生成方法２（Alt-2）が対応付けられる。
【００９９】
一方、Periodic SRSは、長期間の周波数リソースが確保されているため周波数スケジューリング自由度は重要ではない。よって、Periodic SRSには、CM/PAPR特性を重視し、生成方法１（Alt-1）が対応付けられる。
【０１００】
こうすることで、端末１００は、SRS種別に応じて適したSRS生成方法を選択し、SRSを生成することができるので、SRSのSounding性能を向上させることができる。
【０１０１】
（Solution 2-2）
Solution 2-2では、SRS用途と、SRS生成方法種別とを一意に対応付けてもよい。
【０１０２】
NRでは、所定帯域毎の上り品質（Channel State Information (CSI)）を推定する用途である「CSI測定用SRS」と、端末の送信ビームの制御を行う用途である「ビーム制御用SRS」とが検討されている。
【０１０３】
CSI測定用SRSは、瞬時に所望の送信帯域の品質を推定することが要求されるため、周波数スケジューリング自由度が重要となる。そこで、CSI測定用SRSには、生成方法２（Alt-2）が対応付けられる。
【０１０４】
一方、ビーム制御用SRSは、所定の帯域に端末が送信した複数のビームから基地局が最適なビームを選択する制御に用いられる。よって、端末はビーム制御用SRSを広帯域に送信する必要はないため、周波数スケジューリング自由度は重要ではない。よって、ビーム制御用SRSには、CM/PAPR特性を重視し、生成方法１（Alt-1）が対応付けられる。
【０１０５】
こうすることで、端末１００は、SRS用途に応じて適したSRS生成方法を選択し、SRSを生成することができるので、SRSのSounding性能が向上できる。
【０１０６】
（Solution 3）
Solution 3では、サービス種別とSRS生成方法種別とを一意に対応付ける。
【０１０７】
NRでは、要求仕様が異なる複数のサービス（eMBB（enhanced Mobile Broadband）、URLLC（Ultra-Reliable and Low Latency Communications）、mMTC（Massive Machine Type Communications）)をサポートするために、サービス毎に異なるサブキャリア間隔（subcarrier spacing、以下、「SCS」と呼ぶ）又はframe formatをサポートする。
【０１０８】
ここで、URLLCは、低遅延だけでなく信頼性を高めた無線通信が要求されるサービスである。よって、URLLCで用いるSRS（URLLCサービス用SRS）は、瞬時に所望の送信帯域の品質を高精度に推定することが要求される。そこで、URLLCサービス用SRSには、周波数スケジューリング自由度を重視し、生成方法２（Alt-2）が対応付けられる。
【０１０９】
一方、eMBB、mMTCは、URLLCと比較すると低遅延が要求されない。よって、eMBB、mMTCで用いるSRSには、CM/PAPR特性を重視し、生成方法１（Alt-1）が対応付けられる。
【０１１０】
なお、eMBBは、高速大容量通信が要求されるため、広い送信帯域幅を用いて通信を行うことが想定される。よって、eMBB用SRSには、周波数スケジューリング自由度が高い生成方法２（Alt-2）が対応付けられてもよい。
【０１１１】
こうすることで、端末１００は、サービス種別に応じて適したSRS生成方法を選択し、SRSを生成することができるので、SRSのSounding性能が向上できる。
【０１１２】
なお、上述したサービス種別の代わりに、SCSとSRS生成方法種別とを一意に対応付けてもよい。
【０１１３】
NRでは、例えば、URLLCでは60kHz、eMBBでは15kHz、mMTCでは15kHzのように、サービス種別毎にSCSが設定されることが想定される。
【０１１４】
そこで、端末１００及び基地局２００は、端末１００に設定されるSCSが所定閾値（例えば、60kHz）以上の場合には、生成方法２（Alt-2）を選択し、SCSが所定閾値未満の場合には、生成方法１（Alt-1）を選択してもよい。
【０１１５】
このように、SCSに応じてSRS生成方法を適用することで、サービス種別に応じて適したSRSが適用でき、SRSのSounding性能を向上させることができる。
【０１１６】
また、上述したサービス種別の代わりに、frame format種別とSRS生成方法種別とを一意に対応付けてもよい。
【０１１７】
NRでは、URLLCの低遅延を実現するframe format（時間フレーム構成）として、「下り送信領域」と「ガード領域（無送信区間又はギャップ区間）」と「上り送信領域」とを含む一定時間間隔のタイムユニット（例えば１スロット、あるいは、固定時間長(1ms)）である「Self-contained frame」が検討されている。
【０１１８】
そこで、端末１００及び基地局２００は、端末１００がSRSを送信するframe formatがSelf-contained frameの場合には、生成方法２（Alt-2）を選択し、Self-contained frameではない場合には、生成方法１（Alt-1）を選択してもよい。
【０１１９】
このように、frame formatに応じてSRS生成方法を適用することで、サービス種別に適したSRSが適用でき、SRSのSounding性能を向上させることができる。
【０１２０】
また、各サービス種別に応じて使用されるパラメータとしては、SCS及びフレームフォーマット種別に限定されず、他のパラメータ（例えば、端末のカテゴリなど）でもよい。
【０１２１】
以上、SRS生成方法種別と設定情報又は制御情報との対応付けのルールの一例について説明した。なお、上記Solution 1〜3に示すSRS生成方法の対応付けのルールは、基地局２００毎に決定してもよいし、スペックで規定されてもよい。
【０１２２】
このように、本実施の形態では、端末１００は、SRSに関する複数の生成方法の中から、１つの生成方法を選択し、選択された生成方法に基づいて生成されたSRSを送信する。これにより、端末１００は、端末１００の通信状況又は設定情報等と、複数のSRS生成方法におけるCM/PAPR及び周波数スケジューリング自由度の特性とを考慮して、SRSの生成方法を適切に選択することができる。よって、本実施の形態によれば、端末１００は、SRSを適切に生成して、送信することができる。
【０１２３】
以上、本開示の一実施の形態について説明した。
【０１２４】
なお、上述した生成方法１（Alt-1）及び生成方法２（Alt-2）は以下のように定義されてもよく、この場合でも、上記実施の形態と同様の効果が得られる。なお、以下の「１つのZC系列」とは、１つの系列長・系列番号・CS番号で算出されるZC系列を示す。
生成方法１：１つのZC系列からSRSを生成する。
生成方法２：１つ以上のZC系列を結合してSRSを生成する。
生成方法２：SRS送信帯域以上の系列長から求めた１つのZC系列の部分系列からSRSを生成する。
生成方法１：SRS用ZC系列の系列長はSRSの送信帯域幅に相当する。
生成方法２：SRS用ZC系列の系列長はSRSの送信帯域幅に相当しない。
【０１２５】
また、上記実施の形態では、基地局２００主導でSRS生成方法を決定する場合について説明したが、端末１００が主導してSRS生成方法を決定（選択）してもよい。この場合、端末１００は、決定したSRS生成方法を基地局２００に、明示的又は暗示的に通知すればよい。
【０１２６】
また、上記実施の形態では、SRSを例に挙げて説明したが、これに限らず、DM-RS (demodulation reference signal)、CSI-RS (Channel state information reference signal)などの符号系列を用いる参照信号に適用できる。
【０１２７】
また、上記実施の形態はSRSに限るものでもなく、ZC系列などの符号系列を使用する別のチャネルに適用してもよい。
【０１２８】
また、上記実施の形態では、SRS生成方法として、生成方法１（図１を参照）及び生成方法２（図２を参照）の２つの方法を用いる場合について説明したが、SRS生成方法は他の方法でもよく、３個以上の生成方法を用いてもよい。
【０１２９】
本開示はソフトウェア、ハードウェア、又は、ハードウェアと連携したソフトウェアで実現することが可能である。上記実施の形態の説明に用いた各機能ブロックは、部分的に又は全体的に、集積回路であるＬＳＩとして実現され、上記実施の形態で説明した各プロセスは、部分的に又は全体的に、一つのＬＳＩ又はＬＳＩの組み合わせによって制御されてもよい。ＬＳＩは個々のチップから構成されてもよいし、機能ブロックの一部または全てを含むように一つのチップから構成されてもよい。ＬＳＩはデータの入力と出力を備えてもよい。ＬＳＩは、集積度の違いにより、ＩＣ、システムＬＳＩ、スーパーＬＳＩ、ウルトラＬＳＩと呼称されることもある。集積回路化の手法はＬＳＩに限るものではなく、専用回路、汎用プロセッサ又は専用プロセッサで実現してもよい。また、ＬＳＩ製造後に、プログラムすることが可能なＦＰＧＡ（Field Programmable Gate Array）や、ＬＳＩ内部の回路セルの接続や設定を再構成可能なリコンフィギュラブル・プロセッサを利用してもよい。本開示は、デジタル処理又はアナログ処理として実現されてもよい。さらには、半導体技術の進歩または派生する別技術によりＬＳＩに置き換わる集積回路化の技術が登場すれば、当然、その技術を用いて機能ブロックの集積化を行ってもよい。バイオ技術の適用等が可能性としてありえる。
【０１３０】
本開示の端末は、参照信号に関する複数の生成方法の中から、１つの生成方法を選択する回路と、前記選択された生成方法に基づいて生成された前記参照信号を送信する送信機と、を具備する。
【０１３１】
本開示の端末において、前記回路は、前記端末のパワーヘッドルーム又は前記端末のパスロスレベルに応じて、前記１つの生成方法を選択する。
【０１３２】
本開示の端末において、前記回路は、前記端末の送信帯域幅に応じて、前記１つの生成方法を選択する。
【０１３３】
本開示の端末において、前記回路は、前記参照信号の送信に使用される周波数リソースに関するパラメータに一意に対応付けられた前記１つの生成方法を選択する。
【０１３４】
本開示の端末において、前記パラメータは、システム帯域を分割して得られる部分帯域で前記参照信号を送信する端末数、前記部分帯域の帯域幅、又は、前記部分帯域を構成するCombである。
【０１３５】
本開示の端末において、前記回路は、前記参照信号の種別に応じて、前記１つの生成方法を選択する。
【０１３６】
本開示の端末において、前記回路は、前記端末が実行するサービス種別に応じて、前記１つの生成方法を選択する。
【０１３７】
本開示の端末において、前記回路は、前記端末に設定されるサブキャリア間隔に応じて、前記１つの生成方法を選択する。
【０１３８】
本開示の端末において、前記回路は、前記端末に設定されるフレームフォーマット種別に応じて、前記１つの生成方法を選択する。
【０１３９】
本開示の端末において、前記複数の生成方法は、１つの符号系列を用いて前記参照信号を生成する第１生成方法、及び、１つ以上の符号系列を結合して前記参照信号を生成する第２の生成方法を含む。
【０１４０】
本開示の通信方法は、参照信号に関する複数の生成方法の中から、１つの生成方法を選択し、前記選択された生成方法に基づいて生成された前記参照信号を送信する。
【０１４１】
本開示の一態様は、移動通信システムに有用である。
【符号の説明】
【０１４２】
１００  端末
１０１，２０５  アンテナ
１０２，２０６  無線受信部
１０３，２０７  復調・復号部
１０４，２０２  制御情報保持部
１０５，２０８  選択部
１０６  SRS生成部
１０７  リソース割当部
１０８，２０４  無線送信部
２００  基地局
２０１  制御情報生成部
２０３  変調・符号化部
２０９  レプリカ生成部
２１０  品質推定部
２１１  スケジューリング部
【図１】
2018230138.tif 000003
【図２】
2018230138.tif 000004
【図３】
2018230138.tif 000005
【図４】
2018230138.tif 000006
【図５】
2018230138.tif 000007
【図６】
2018230138.tif 000008
【図７】
2018230138.tif 000009
【図８】
2018230138.tif 000010
【図９】
2018230138.tif 000011
【図１０】
2018230138.tif 000012
【図１１】
2018230138.tif 000013
【国際調査報告】
2018230138.tif 000014
2018230138.tif 000015
2018230138.tif 000016
2018230138.tif 000017